(57)【要約】【課題】端子の熱膨張、熱収縮または衝撃や振動による端子の接触不良または半田付けの剥離等を確実に防止することのできる電気コネクタを提供する。【解決手段】各端子３０に左右方向、前後方向及び上下方向に弾性変形可能な可動部３４を設けたので、各ハウジング１０，２０の相互移動を各方向の何れの方向にも吸収することができる。その際、各ハウジング１０，２０の相互移動を各ストッパ部材４０によって所定範囲内に規制するようにしたので、各端子３０の可動部３４を過剰に変形させることがなく、各端子３０の破損を確実に防止することができる。【選択図】  図１
2004348969.tif 000002
【特許請求の範囲】
【請求項１】
一方の接続対象物側に配置される第１のハウジングと、他方の接続対象物側に配置される第２のハウジングと、一端側を第１のハウジングに保持され、他端側を第２のハウジングに保持された複数の導電性の端子とを備え、各ハウジングを互いに左右方向、前後方向及び上下方向に移動可能に設けた電気コネクタにおいて、
前記各端子の一端側と他端側との間に各ハウジングの左右方向、前後方向及び上下方向にそれぞれ弾性変形可能な可動部を設け、
各ハウジングの左右方向、前後方向及び上下方向の相互移動を所定範囲内に規制する移動規制手段を備えた
ことを特徴とする電気コネクタ。
【請求項２】
前記各端子の可動部を蛇行状に屈曲するように形成した
ことを特徴とする請求項１記載の電気コネクタ。
【請求項３】
前記移動規制手段を、一方のハウジングの所定位置に設けられ、他方のハウジングの所定位置に左右方向、前後方向及び上下方向に係止可能な移動規制部によって形成した
ことを特徴とする請求項１または２記載の電気コネクタ。
【請求項４】
前記移動規制部を一方のハウジングに取付けられる別部品によって形成した
ことを特徴とする請求項３記載の電気コネクタ。
【発明の詳細な説明】
【０００１】
【発明の属する技術分野】
本発明は、プリント基板等に取付けられ、一対の基板同士を電気的に接続するために用いられる電気コネクタに関するものである。
【０００２】
【従来の技術】
従来、この種の電気コネクタとしては、一方の接続対象物側に配置される第１のハウジングと、他方の接続対象物側に配置される第２のハウジングと、一端側を第１のハウジングに保持され、他端側を第２のハウジングに保持された複数の導電性の端子とを備え、各ハウジングを互いに左右方向（端子の配列方向）に移動可能に設けるとともに、各端子の一端側と他端側との間には各ハウジングの左右方向に弾性変形可能な可動部を設けたものが知られている（例えば、特許文献１参照。）。
【０００３】
【特許文献１】
特開平２−１０６８８２号公報
【０００４】
【発明が解決しようとする課題】
しかしながら、前記電気コネクタでは、各ハウジングが左右方向にのみ相互に移動可能になっているため、上下方向（端子の接続方向）への移動を許容することができない。このため、例えば一方のハウジング側を基板に接続し、他方のハウジング側を他の基板に取付けられたコネクタに接続した場合、使用環境等の熱的影響によって各端子が熱膨張または熱収縮を生ずると、各コネクタの端子はそれぞれ各基板に固定されているため、端子の接点部同士が互いに摺動を生じ、接触不良の原因となるという問題点があった。また、前記電気コネクタでは、前後方向（端子の配列方向に直交する方向）への移動を許容することができないため、外部からの衝撃や振動が生じた場合、各基板の前後方向への位置ずれを吸収することができず、端子の変形や基板との半田付けの剥離を生ずるという問題点があった。
【０００５】
本発明は前記問題点に鑑みてなされたものであり、その目的とするところは、端子の熱膨張、熱収縮または衝撃や振動による端子の接触不良または半田付けの剥離等を確実に防止することのできる電気コネクタを提供することにある。
【０００６】
【課題を解決するための手段】
本発明は前記目的を達成するために、請求項１では、一方の接続対象物側に配置される第１のハウジングと、他方の接続対象物側に配置される第２のハウジングと、一端側を第１のハウジングに保持され、他端側を第２のハウジングに保持された複数の導電性の端子とを備え、各ハウジングを互いに左右方向、前後方向及び上下方向に移動可能に設けた電気コネクタにおいて、前記各端子の一端側と他端側との間に各ハウジングの左右方向、前後方向及び上下方向にそれぞれ弾性変形可能な可動部を設け、各ハウジングの左右方向、前後方向及び上下方向の相互移動を所定範囲内に規制する移動規制手段を備えている。これにより、各端子の可動部の弾性変形により、各ハウジングの相互移動が各方向の何れの方向にも吸収される。その際、各ハウジングの相互移動が移動規制手段によって所定範囲内に規制されることから、各端子の可動部が過剰に変形することがない。
【０００７】
また、請求項２では、請求項１記載の電気コネクタにおいて、前記各端子の可動部を蛇行状に屈曲するように形成している。これにより、請求項１の作用に加え、可動部が左右方向、前後方向及び上下方向にそれぞれ容易に弾性変形可能となる。
【０００８】
また、請求項３では、請求項１または２記載の電気コネクタにおいて、前記移動規制手段を、一方のハウジングの所定位置に設けられ、他方のハウジングの所定位置に左右方向、前後方向及び上下方向に係止可能な移動規制部によって形成している。これにより、請求項１または２の作用に加え、各ハウジングの各方向への相互移動が簡単な構造によって確実に規制される。
【０００９】
また、請求項４では、請求項３記載の電気コネクタにおいて、前記移動規制部を一方のハウジングに取付けられる別部品によって形成している。これにより、請求項３の作用に加え、例えば各ハウジングに移動規制機能を有する部分を一体に形成する場合に比べ、各ハウジングの成形及び組付けが容易である。
【００１０】
【発明の実施の形態】
図１乃至図５は本発明の一実施形態を示すもので、図１は電気コネクタの斜視図、図２はその正面図、図３はその側面断面図、図４はその側面図、図５はその取付状態を示す側面図である。
【００１１】
この電気コネクタは、互いに別体に形成された絶縁性の第１のハウジング１０及び第２のハウジング２０と、各ハウジング１０，２０に保持される複数の端子３０と、各ハウジング１０，２０の相互移動を規制する移動規制部としての一対のストッパ部材４０とからなる。
【００１２】
第１のハウジング１０は上面に相手側コネクタを嵌合する開口部１１を有し、開口部１１内の前後方向両側には各端子３０を保持する複数の端子孔１２が互いに左右方向に等間隔で設けられている。また、第１のハウジング１０の左右両側面には各ストッパ部材４０を固定するための溝１３が前後両側にそれぞれ設けられている。
【００１３】
第２のハウジング２２は前後方向両側に各端子３０を保持する複数の端子孔２１を有し、各端子孔２１は互いに左右方向に等間隔で設けられている。また、第２のハウジング２０の下面には基板に係合する突起２２が左右方向両側にそれぞれ設けられ、各突起２２は基板に設けた孔に挿入されて基板に係止するようになっている。第２のハウジング２０の左右両側面２３は各ストッパ部材４０に左右方向に係止可能に形成され、各側面２３には各ストッパ部材４０に前後方向及び上下方向に係止可能な突部２４が設けられている。
【００１４】
各端子３０は導電性を有する金属板からなり、コネクタ本体１０の前後方向両側にそれぞれ一列ずつ配列されている。各端子３０の一端側には相手側コネクタの端子が接触する接触部３１が設けられ、接触部３１は第１のハウジング１０に前後方向に挿入することによって第１のハウジング１０に係合するようになっている。各端子３０の他端側には第２のハウジング２０に係合する係合部３２が設けられ、係合部３２は二股状に形成された部分に第２のハウジング２０に設けられた突部２５を圧入することにより、第２のハウジング２０に保持されるようになっている。また、各端子３０の他端側には基板に接続される接続部３３が設けられ、接続部３３は係合部３２から下方に延びるように形成されている。また、各端子３０の接触部３１と係合部３２との間には各ハウジング１０，２０の前後方向、上下方向及び左右方向に弾性変形可能な可動部３４が設けられ、可動部３４は幅が小さく蛇行状に屈曲するように形成されている。
【００１５】
各ストッパ部材４０は板状の部材を略四角形の環状に屈曲することによって形成され、その両端を第１のハウジング１０の溝１３に圧入することによって第１のハウジング１０に固定されている。この場合、各ストッパ部材４０は第２のハウジング２０の側方にそれぞれ配置され、各ストッパ部材４０の内側には第２のハウジング２０の各突部２４がそれぞれ配置されるようになっている。即ち、図２に示すように各ストッパ部材４０の左右方向（Ｘ方向）の間隔Ｘ１  は第２のハウジング２０の両側面２３の左右方向の間隔Ｘ２  よりも広く形成されている。また、図４に示すようにストッパ部材４０の前後方向（Ｙ方向）の内形寸法Ｙ１  は突部２４の前後方向の寸法Ｙ２  よりも広く形成され、突部２４の下面と第２のハウジング２０の上面２５との上下方向（Ｚ方向）の間隔Ｚ１  はストッパ部材４０の下端部の肉厚Ｚ２  よりも広く形成されている。
【００１６】
以上のように構成された電気コネクタは、図５に示すように各端子３０の接続部３３を一方の基板Ａに半田付けすることにより、第２のハウジング２０が各端子３０と共に一方の基板Ａに固定される。また、他方の基板Ｂに取付られたコネクタ５０の各端子５１を第１のハウジング１０に挿入し、コネクタ５０の各端子５１を各端子３０の接触部３１に接続することにより、各基板Ａ，Ｂが互いに電気的に接続される。
【００１７】
ここで、各基板Ａ，Ｂ同士が左右方向（Ｘ方向）、前後方向（Ｙ方向）または上下方向（Ｚ方向）に位置ずれを生じた場合には、各端子３０の可動部３４の弾性変形により、各基板Ａ，Ｂに追従して第１のハウジング１０が第２のハウジング２０に対して移動し、各基板Ａ，Ｂの位置ずれが吸収される。また、各端子３０，５１が熱膨張または熱収縮を生じた場合には、各端子３０の可動部３４が上下方向（Ｚ方向）に弾性変形し、各端子３０，５１の熱膨張または熱収縮が吸収される。
【００１８】
前述の場合、第１のハウジング１０の第２のハウジング２０に対する各方向への移動は各ストッパ部材４０によって所定範囲内に規制される。即ち、各ハウジング１０，２０は、Ｘ方向にＸ１  −Ｘ２  、Ｙ方向にＹ１  −Ｙ２  、Ｚ方向にＺ１  −Ｚ２  だけ移動可能であるため、各端子３０の可動部３４が過剰に変形することがない。
【００１９】
このように、本実施形態の電気コネクタによれば、各端子３０に左右方向、前後方向及び上下方向に弾性変形可能な可動部３４を設けたので、各ハウジング１０，２０の相互移動を各方向の何れの方向にも吸収することができ、端子の熱膨張、熱収縮または衝撃や振動による端子の接触不良または半田付けの剥離等を確実に防止することができる。その際、各ハウジング１０，２０の相互移動を各ストッパ部材４０によって所定範囲内に規制するようにしたので、各端子３０の可動部３４を過剰に変形させることがなく、各端子３０の破損を確実に防止することができる。
【００２０】
また、各端子３０の可動部３４を幅が小さく蛇行状に屈曲するように形成したので、可動部３４を左右方向、前後方向及び上下方向に容易に弾性変形させることができ、各ハウジング１０，２０を相互に確実に移動させることができる。
【００２１】
更に、各ストッパ部材４０を第２のハウジング２０の両側面２３に設けた突部２４を内側に配置した環状の部材によって形成するとともに、各ストッパ部材４０の側端と第２のハウジング２０の両側面との係止によって左右方向（Ｘ方向）の移動を規制し、各ストッパ部材４０の内面と第２のハウジング２０の突部との係止によって前後方向（Ｙ方向）及び上下方向（Ｚ方向）の移動を規制するようにしたので、各ハウジング１０，２０の各方向への移動を簡単な構造によって確実に規制することができ、実用化に際して極めて有利である。
【００２２】
この場合、各ストッパ部材４０を第１のハウジング１０に取付けられる別部品によって形成したので、各ハウジング１０，２０にストッパ機能を有する部分を一体に形成する場合に比べ、各ハウジング１０，２０の成形及び組付けを容易に行うことができ、生産性の向上を図ることができる。
【００２３】
【発明の効果】
以上説明したように、請求項１の電気コネクタによれば、各ハウジングの相互移動を左右方向、前後方向及び上下方向の何れの方向にも吸収することができるので、端子の熱膨張、熱収縮または衝撃や振動による端子の接触不良または半田付けの剥離等を確実に防止することができる。その際、各端子の可動部を過剰に変形させることがないので、各端子の破損を確実に防止することができる。
【００２４】
また、請求項２の電気コネクタによれば、請求項１の効果に加え、各端子の可動部を左右方向、前後方向及び上下方向に容易に弾性変形させることができるので、各ハウジングを相互に確実に移動させることができる。
【００２５】
また、請求項３の電気コネクタによれば、請求項１または２の効果に加え、各ハウジングの相互移動を簡単な構造によって確実に規制することができるので、実用化に際して極めて有利である。
【００２６】
また、請求項４の電気コネクタによれば、請求項３の効果に加え、例えば各ハウジングに移動規制機能を有する部分を一体に形成する場合に比べ、各ハウジングの成形及び組付けを容易に行うことができるので、生産性の向上を図ることができる。
【図面の簡単な説明】
【図１】本発明の一実施形態を示す電気コネクタの斜視図
【図２】電気コネクタの正面図
【図３】電気コネクタの側面断面図
【図４】電気コネクタの側面図
【図５】電気コネクタの取付状態を示す側面図
【符号の説明】
１０…第１のハウジング、２０…第２のハウジング、２３…側面、２４…突部、３０…端子、３４…可動部、４０…ストッパ部材、Ａ，Ｂ…基板。
【図１】
2004348969.tif 000003
【図２】
2004348969.tif 000004
【図３】
2004348969.tif 000005
【図４】
2004348969.tif 000006
【図５】
2004348969.tif 000007